(57)【特許請求の範囲】
【請求項１】
紙幣収納部を有する現金収納ケースに設置され、汚濁液貯留タンクから給送された汚濁液をノズルで噴射して上記紙幣収納部に積み重ねて収納された紙幣束に吹き付ける現金収納ケースの紙幣汚損用汚濁液噴射装置であって、
上記汚濁液貯留タンクが、汚濁液を貯留する膨張収縮可能な内容器と、この内容器を収容しかつこの内容器を加圧して収縮させるための加圧空間を形成する外容器と、上記内容器の内部に挿入されてその内容器に貯留されている汚濁液の出口を一端部に有しかつ管壁に汚濁液の通孔が開設された有孔管とを有し、
その有孔管の上記出口が、常時は閉状態に保持された開閉弁の入口ポートに取り付けられていると共に、起動信号の入力に伴いこの開閉弁を開放させる開弁機構と、上記開閉弁の出口ポートと上記ノズルとを接続する汚濁液分配管と、を備えていることを特徴とする現金収納ケースの紙幣汚損用汚濁液噴射装置。
【請求項２】
内容器がゴム製である請求項１に記載した現金収納ケースの
紙幣汚損用汚濁液噴射装置。
【請求項３】
内容器が加圧されて縮小したときに襞状の皺を形成するよう
に、有孔管の長さと内容器の大きさとの関係が定められている請求項１又は請求項２に記載した現金収納ケースの紙幣汚損用汚濁液噴射装置。
【発明の詳細な説明】
【０００１】
【発明の属する技術分野】
本発明は、紙幣束を収納した現金収納ケースの移送中などにおいて、その現金収納ケースが盗難などの不慮の被害に遭遇した場合に、ケース内の紙幣束を着色インク液などの汚濁液で汚損させることのできる現金収納ケースの紙幣汚損用汚濁液噴射装置に関する。
【０００２】
【従来の技術】
現金収納ケースに収納されている紙幣を汚濁液で汚損するといった防犯対策は、現金が現金収納ケースごと持ち去られるような不慮の被害に遭遇したときでも、その紙幣を使用不可能にしたり犯人を割り出したりする上できわめて有効な対策となり得る。この防犯対策に用いられる紙幣汚損用汚濁液噴射装置は、現金収納ケースに設置されている必要がある。また、被害に遭遇したことを検知して起動信号を出力し、その起動信号によって紙幣束に対する汚濁液の吹付けが開始されるようになっている必要がある。さらに、不正行為を検知したときには、汚濁液貯蔵タンクの姿勢が倒伏姿勢であっても起立姿勢であっても倒立姿勢であっても、汚濁液を有孔に排出し得るものである必要がある。
【０００３】
この種の紙幣汚損用汚濁液噴射装置において、汚濁液の吹付けにはノズルが用いられる。また、汚濁液は汚濁液貯留タンクに蓄えられていて、この汚濁液貯留タンクからノズルに汚濁液が給送され、それによってノズルからの汚濁液の吹付けが開始されているようになっている。
【０００４】
従来、この紙幣汚損用汚濁液噴射装置に用いられる汚濁液貯留タンクは、汚濁液を貯留する膨張収縮可能な内容器と、この内容器を収容しかつこの内容器を加圧して収縮させるための加圧空間を形成する外容器とを有していた。そして、内容器の開放口が、常時は閉状態に保持された開閉弁の入口ポートに取り付けられていた。また、起動信号の入力に伴いこの開閉弁を開放させる開弁機構と、開閉弁の出口ポートとノズルとを接続する汚濁液分配管と、を備えていた。
【０００５】
このような従来の紙幣汚損用汚濁液噴射装置において、汚濁液貯留タンクの内容器は加圧空間の圧力により常時加圧されているので、起動信号が開弁機構に入力されてその開弁機構が開閉弁を開放すると、内容器に蓄えられている汚濁液が内容器の開放口から開閉弁の入口ポート、出口ポート、汚濁液分配管を経てノズルに給送され、そのノズルから紙幣束に向けて汚濁液が噴射される。
【０００６】
【発明が解決しようとする課題】
しかしながら、従来の紙幣汚損用汚濁液噴射装置では、内容器が加圧されてその開放口から汚濁液が開閉弁の入口ポートに排出されることによって、その内容器に蓄えられている汚濁液の液量が減少してくると、場合によっては、汚濁液貯蔵タンクの姿勢（方向性）又は偶然性により、加圧されて変形した内容器が開閉弁の入口ポートを塞いでしまうことがあり、汚濁液の残量が開放口から排出されなくなり、ノズルに必要な汚濁液が給送されなくなって汚濁液の噴射がなされなくなるおそれがあった。
【０００７】
本発明は以上の状況の下でなされたものであり、内容器に蓄えられている汚濁液が排出されることによってその残量が減少しても、内容器が開閉弁の入口ポートを塞ぐような事態が起こらず、汚濁液の残量が定常状態で内容器の開放口から排出されてノズルから噴射されるようになる現金収納ケースの紙幣汚損用汚濁液噴射装置を提供することを目的とする。
【０００８】
【課題を解決するための手段】
本発明に係る紙幣汚損用汚濁液噴射装置は現金収納ケース１に設置される。また、起動信号の入力に伴い現金収納ケース１の紙幣収納部１４に積み重ねて収納された紙幣束Ｍに汚濁液を吹き付けるノズル６と、そのノズル６に給送される汚濁液を蓄えた汚濁液貯留タンク２とを備えている。
【０００９】
本発明において、上記汚濁液貯留タンク２は、汚濁液を貯留する膨張収縮可能な内容器２１と、この内容器２１を収容しかつこの内容器２１を加圧して収縮させるための加圧空間Ｐを形成する外容器２２と、上記内容器２１の内部に挿入されてその内容器２１に貯留されている汚濁液の出口２４を一端部に有しかつ管壁に汚濁液の通孔２７が開設された有孔管２３とを有する。また、有孔管２３の上記出口２４が、常時は閉状態に保持された開閉弁３の入口ポート３１に取り付けられていると共に、起動信号の入力に伴いこの開閉弁３を開放させる開弁機構４と、上記開閉弁３の出口ポート３２と上記ノズル６とを接続する汚濁液分配管５と、を備えている。
【００１０】
このようになっていると、内容器に蓄えられている汚濁液が内容器の出口から排出されることによってその残量が減少しても、あるいは、汚濁液貯蔵タンクが倒伏姿勢になっても起立姿勢になっても倒立姿勢になっても、加圧されて変形した内容器が有孔管の全部の通孔を塞ぐ可能性はほとんどない。このように内容器が縮小しても有孔管の通孔の塞がないというような状況は、有孔管の長さと内容器の大きさとの関係を適切に定めることによって、内容器が加圧されて縮小したときに襞状の皺を形成するようになっている場合に顕著に現れる。そのため、内容器が変形しても、内容器に蓄えられている汚濁液が、開いている通孔を通って有孔管の内部通路に入った後、その有孔管の出口から開閉弁の入口ポートに排出され、さらに、開閉弁の出口ポートから汚濁液分配管を経てノズルに給送されてノズルから噴射される。
【００１１】
上記内容器はゴム製であることが望ましい。内容器がゴム製であると、加圧空間の圧力と内容器自体の弾性復帰力とが、内容器を収縮させて汚濁液を排出させることに役立つので、加圧空間の圧力だけで内容器を収縮させて汚濁液を排出させる場合に比べて加圧空間の圧力を小さく抑えておくことが可能になり、そのことが、外容器の耐圧性を軽減して価格を安価にすることに役立つ。
【００１２】
ここでは、図面の符号を参照しているけれども、これは内容の理解を助けるためであって、内容を図示のものに限定する意図ではない。
【００１３】
【発明の実施の形態】
図１は現金収納ケース１（以下「ケース」という）を概略で示した外観図であり、このケース１は、金融機関の自動現金払出し機などに着脱される現金収納カセットとして用い得る。同図のケース１では、前面が開放した箱形のケース本体１２に設けられた紙幣架台１３によって、そのケース本体１２の内部空間が、紙幣架台１３の上側の紙幣収納部１４と紙幣架台１３の下側の空間部１５とに区画されている。また、ケース本体１２には蝶番（不図示）を介して扉１６が取り付けられており、この扉１６を開けて紙幣収納部１４に紙幣束を出入れするようになっている。
【００１４】
図２はケース１に設置された紙幣汚損用汚濁液噴射装置（以下「噴射装置」という）を示している。この噴射装置は、汚濁液を加圧状態で蓄えた汚濁液貯留タンク（以下「タンク」という）２を有する。また、開閉弁３及び開閉弁３の開動を制御するための開弁機構４と、開閉弁３の出口ポート３２に連通された汚濁液分配管（以下「分配管」という）５とを有する。そして、分配管５が２つのノズル６に接続され、開弁機構４が制御装置７によって制御されるようになっており、さらに、制御装置７に開弁機構４の起動信号を入力するための不正行為検出手段８などを備えている。そして、タンク２が、開閉弁３、開弁機構４、制御装置７などと共に上記空間部１５に設置されているのに対し、２つのノズル６が上記紙幣収納部１４に起立姿勢で設置され、それらのノズル６のそれぞれの下端部に分配管５が接続されている。
【００１５】
不正行為検出手段８は、盗難やケース１の持ち去りといった不正行為が行われたことを検出するために設けられる。この不正行為検出手段８としては、たとえば、扉１６やケース本体１２の外壁の全体を覆うように張りめぐらした線状センサ８１のほか、扉１６やケース本体１２に設けられる不正な解錠を検出するための錠スイッチ、扉１６の不正な開動を検出する扉スイッチ、扉１６が一定時間以上開放されたまま放置されたことを検出するタイマ回路、扉スイッチやタイマ回路などの信号が入力される論理回路などがある。
【００１６】
図５は不正行為検出手段８や制御装置７などを説明的に例示したブロック図である。同図において、８１は上記線状センサ、８２は上記錠スイッチ、８３は上記扉スイッチ、８４はタイマ回路、８５は論理回路である。線状センサ８１は、扉１６やケース本体１２が不正な手段で破られたり穿孔されたときになどに断線して不正行為が行われたことを検出する。錠スイッチ８２や扉スイッチ８３は、不正に解錠されたときや扉１６が不正に開動されたときにそれらの不正行為が行われたことを検出する。図５ではこれらの錠スイッチ８２や扉スイッチ８３が複数個設けられているものを示しているけれども、これらの数は必要に応じて増減することが可能である。タイマ回路８４は、たとえば２つの錠スイッチ８２が設定時間の間に共に開放されないような場合にそのことを検出する。論理回路８５は、扉スイッチ８３から扉１６の開動信号が出力されたときで、かつ、錠スイッチ８２から解錠信号が出力されないようなときにそのことを検出する。なお、図５では制御装置７によってブザー８６が制御されるものを示してある。
【００１７】
図２及び図５を併せ見ることによって判るように、紙幣収納部１４に紙幣束Ｍを積み上げて収納したケース本体１２が扉１６で正規に閉じられている状態から不正行為が行われた場合、たとえば犯人がケース本体１２や扉１６を切断したり穿孔したり強打したり、扉１６を無理にこじ開けたり、不正に解錠を試みたりした場合には、線状センサ８１の断線や、錠スイッチ８２、扉スイッチ８３、タイマ回路８４、論理回路８５などによって不正行為が検出され、その信号が制御装置７に入力される。そして、制御装置７が開弁機構４に起動信号を入力し、その起動信号の入力に伴って開弁機構４が動作して開閉弁３を開く。こうして開閉弁３が開くと、タンク２内で加圧されている汚濁液が開閉弁３や分配管５を経てノズル６に給送され、そのノズル６から紙幣束Ｍの端面に汚濁液が吹き付けられる。なお、汚濁液には、たとえば、紙幣への浸透性に優れ、一度付着すると水洗などでは脱色しないような赤、青、黄色などの着色インクのほか、何らかの手段で付着を確認することのできる透明インクなどが好適に用いられる。
【００１８】
図３及び図４は空間部１５に設置されているタンク２、開閉弁３及び開弁機構４を示した断面図である。
【００１９】
タンク２は、汚濁液（不図示）を貯留する膨張収縮可能なＮＢＲといったゴム製の内容器２１と、この内容器２１を収容しかつこの内容器２１を加圧して収縮させるための加圧空間Ｐを形成する外容器２２と、内容器２１の内部に挿入された有孔管２３とを有している。有孔管２３は内容器２１の全長に近い長さを有している。外容器２２には加圧ガス充填口２８が設けられていて、その加圧ガス充填口２８は加圧ガス充填後に閉じられている。有孔管２３はその管壁に開設された多数の通孔２７を有していて、それらの通孔２７を汚濁液が流通できるようになっている。また、有孔管２３の一端部に備わっている出口２４は、外容器２２の口部２５に取り付けられている開閉弁３の入口ポート３１に内嵌状に取り付けられており、また、有孔管２３の一端部と開閉弁３の入口ポート３１の周囲壁との間に、内容器２１の開放口２６が挾圧状に取り付けられている。
【００２０】
開閉弁３は、弁箱３０と、その弁箱３０に具備された入口ポート３１及び出口ポート３２と、弁箱３０に具備されて入口ポート３１と出口ポート３２とを連通する液通路３３と、この液通路３３に設けられた弁座３４と、この弁座３４に対して接離される弁体３５とを有している。そして、弁体３５に固着された弁棒３６が、弁箱３０の貫通孔３７を挿通して突出されていると共に、弁体３５が、後述するばね体４３の力で常時は弁座３４に弾接して閉状態を保っている。
【００２１】
また、開弁機構４は、上記弁棒３６に固着されて上記弁体３５に連動するピストン４１と、このピストン４１を収容しているシリンダ室４２と、ピストン４１と弁箱３０との間に介在されて弁体３５を弁座３４に接触する方向に常時付勢しているばね体４３と、起動信号の入力に伴いガスを発生させてそのガス圧をピストン４１に作用させることにより弁体３５をばね体４３の力に抗して弁座３４から後退させて開閉弁３を開状態にするガス発生器４４とを有している。
【００２２】
図３で説明した噴射装置において、起動信号によってガス発生器４４がガスを発生し、そのガス圧によりピストン４１が押されて弁体３５が弁座３４に対して後退すると、開閉弁３が開状態になって液通路３３が開く。一方、外容器２２によって形成されている加圧空間Ｐには加圧ガスが充填されているので、開閉弁３が上記のように開状態になると、加圧空間Ｐの圧力で加圧されている内容器２１に蓄えられている汚濁液が、有孔管２３の出口２４から開閉弁３の入口ポート３１に排出され、液通路３３、出口ポート３２を経た後、図２で説明したように分配管５を通ってノズル６に給送される。
【００２３】
こうして内容器２１から汚濁液が排出されると、その汚濁液の残量が減少するにつれ内容器２１が加圧されて変形する。図４は加圧された内容器２１が変形している状態を示している。同図のように、変形した内容器２１は有孔管２３を取り巻くようにその有孔管２３に接触するようになる。しかし、そのように内容器２１が変形したとしても、内容器２１が有孔管２３の全部の通孔２７を塞ぐ可能性はほとんどない。そのため、内容器２１に蓄えられている汚濁液が、開いている通孔２７を通って有孔管２３の内部通路に入った後、その有孔管２３の出口２４から開閉弁３の入口ポート３１に排出される。したがって、内容器２１に蓄えられていた汚濁液の多くが内容器２１に残ったままになって汚濁液のロスが多くなることはない。特に、内容器２１が加圧されて縮小したときには、図４のようにその内容器２１が襞状の皺を形成するようになっていることが好ましく、そのようになっていると、内容器２１が縮小しても有孔管２３の通孔２７の全部が内容器２１によって塞がれてしまうといった自体がきわめて起こりにくくなる。内容器２１が加圧されて縮小したときにその内容器２１が襞状の皺を形成するようにするためには、有孔管２３の長さと内容器２１の大きさとの関係を適切に定めておけばよい。
【００２４】
【発明の効果】
以上のように、本発明によれば、内容器に蓄えられている汚濁液が排出されることによってその残量が減少しても、内容器が開閉弁の入口ポートを塞ぐような事態が起こらず、汚濁液の残量が定常状態で内容器の開放口から排出されてノズルから噴射されるようになる。
【図面の簡単な説明】
【図１】現金収納ケースを概略で示した外観図である。
【図２】現金収納ケースに設置された紙幣汚損用汚濁液噴射装置の配置図である。
【図３】開閉弁が閉状態に保たれているときの汚濁液貯留タンク、開閉弁及び開弁機構を示した断面図である。
【図４】内容器が変形した状態での汚濁液貯留タンク、開閉弁及び開弁機構を示した断面図である。
【図５】不正行為検出手段や制御装置などを説明的に例示したブロック図である。
【符号の説明】
Ｍ  紙幣束
Ｐ  加圧空間
１  現金収納ケース
２  汚濁液貯留タンク
３  開閉弁
４  開弁機構
５  汚濁液分配管
６  ノズル
１４  紙幣収納部
２１  内容器
２２  外容器
２３  有孔管
２４  汚濁液の出口
２７  汚濁液の通孔
３１  入口ポート
３２  出口ポート
【図１】
0003612440.tif 000002
【図２】
0003612440.tif 000003
【図３】
0003612440.tif 000004
【図４】
0003612440.tif 000005
【図５】
0003612440.tif 000006